【手続補正書】
【提出日】平成18年7月26日(2006.7.26)
【手続補正１】
【補正対象書類名】明細書
【補正対象項目名】全文
【補正方法】変更
【補正の内容】
【書類名】          明細書
【発明の名称】      苗植装置
【特許請求の範囲】
【請求項１】  収容苗の繰出部を苗案内体１に案内させながら左右往復移動する苗タンク２と、この苗案内体１から苗を分離して挿植する植付装置３とからなる多条植形態の苗植装置において、苗植フレーム４の重量偏位側とは反対側のサイドタンク５を内側のメインタンク６側に折畳可能に設けたことを特徴とする苗植装置。
【請求項２】  前記メインタンク６の左右両側部で折畳可能のサイドタンク５の設置数を、苗植フレーム４の重量偏位側では少く、これと反対側では多くすることを特徴とする請求項１に記載の苗植装置。
【請求項３】  左右両側に植付装置３を有する二条植付フレーム７と、左右いずれか片側にのみ植付装置３を有する一条植付フレーム８とを配置し、この一条植付フレーム８側とは反対側のサイドタンク５を折畳可能に設けたことを特徴とする請求項１、又は２に記載の苗植装置。
【請求項４】  苗タンク２に設けた苗繰出装置１１の上部側と下部側との裏面９に上部レバー１０Ａと下部レバー１０Ｂとを設け、該上部レバー１０Ａと下部レバー１０Ｂとで苗タンク２の連結状態を苗繰出装置１１の上部側と下部側との２箇所で固定すると共に、この上部レバー１０Ａと下部レバー１０Ｂとを苗タンク２の裏面９に沿った伏姿勢に操作することにより、苗タンク２の連結状態が固定されることを特徴とする苗植装置。
【請求項５】  メインタンク６とこの横端で折畳可能のサイドタンク５との間の苗繰出装置１１の駆動軸１２，１３間に渡って、この駆動軸１２に嵌合案内させて咬み合い可能のドッグクラッチ爪１４，１５を設けたことを特徴とする苗植装置。
【発明の詳細な説明】
【０００１】
【発明の属する技術分野】
この発明は、苗植装置に関するもので、路上走行時に苗植装置の左右の重量平衡を保持させるものである。
【０００２】
【従来の技術】
苗植装置は乗用走行形態のトラクタ車体等の後側に昇降、及びローリング自在に装着して、苗植作業時は下側のフロートを土壌面に接地滑走させ、路上走行時は苗植装置を上昇させてフロート部が浮上した姿勢にする。
【０００３】
【発明が解決しようとする課題】
苗植装置が多条植形態で幅広くなると、装置自体の左右の重量平衡が難しく、特に苗植付条数が奇数の形態では、重量平衡を維持し難い構成となり易い。
【０００４】
【課題を解決するための手段】
請求項１に記載の発明は、収容苗の繰出部を苗案内体１に案内させながら左右往復移動する苗タンク２と、この苗案内体１から苗を分離して挿植する植付装置３とからなる多条植形態の苗植装置において、苗植フレーム４の重量偏位側とは反対側のサイドタンク５を内側のメインタンク６側に折畳可能に設けたことを特徴とする苗植装置の構成とする。
【０００５】
請求項２に記載の発明は、前記メインタンク６の左右両側部で折畳可能のサイドタンク５の設置数を、苗植フレーム４の重量偏位側では少く、これと反対側では多くすることを特徴とするものである。
【０００６】
請求項３に記載の発明は、左右両側に植付装置３を有する二条植付フレーム７と、左右いずれか片側にのみ植付装置３を有する一条植付フレーム８とを配置し、この一条植付フレーム８側とは反対側のサイドタンク５を折畳可能に設けたことを特徴とするものである。
【０００７】
請求項４に記載の発明は、苗タンク２に設けた苗繰出装置１１の上部側と下部側との裏面９に上部レバー１０Ａと下部レバー１０Ｂとを設け、該上部レバー１０Ａと下部レバー１０Ｂとで苗タンク２の連結状態を苗繰出装置１１の上部側と下部側との２箇所で固定すると共に、この上部レバー１０Ａと下部レバー１０Ｂとを苗タンク２の裏面９に沿った伏姿勢に操作することにより、苗タンク２の連結状態が固定されることを特徴とする苗植装置の構成とする。
【０００８】
請求項５に記載の発明は、メインタンク６とこの横端で折畳可能のサイドタンク５との間の苗繰出装置１１の駆動軸１２，１３間に渡って、この駆動軸１２に嵌合案内させて咬み合い可能のドッグクラッチ爪１４，１５を設けたことを特徴とする苗植装置の構成とする。
【０００９】
【発明の効果】
請求項１に記載の発明は、苗植作業時は、サイドタンク５を苗供給姿勢に張り出させて、苗タンク２として左右へ往復移動させて、植付装置３による苗植作用を行わせる。路上走行時のように苗植作業を行わないときは、苗タンク２をサイドタンク５、即ち苗植フレーム４の重量偏位側寄りに移動させた状態で、このサイドタンク５を内側へ折畳むことによって、苗植装置全体の左右横幅を狭くして、路上走行や格納等を行い易くできる。又、苗植フレーム４の偏位重量と折畳状態のサイドタンク５の偏位重量が打ち消されるようになって、左右の重量平衡を図ることができ、路上走行時に苗植装置の横端部のフロート等が路面に接触するのを防止できる。
【００１０】
請求項２に記載の発明は、折畳可能なサイドタンク５がメインタンク６の左右両側に配置される形態では、重量偏位側と反対側のサイドタンク５の数を多くすることによって、苗植フレーム４の偏位重量とこのタンク数の多い側のサイドタンク５の偏位重量とが打ち消されるようになって、左右の重量平衡を図ることができる。
【００１１】
請求項３に記載の発明は、植付装置３の左右配置基数が異なる植付フレーム７，８によって、奇数の植付条数配置の苗植装置では、この一条植付フレーム８の側に重量偏位されるが、サイドタンク５の折畳みは、これと反対側において行われるために、これら左右の偏位重量の打ち消しによって重量平衡を図ることができる。
【００１２】
請求項４に記載の発明は、苗タンク２に設けた苗繰出装置１１の上部側と下部側との裏面９に上部レバー１０Ａと下部レバー１０Ｂとを設け、該上部レバー１０Ａと下部レバー１０Ｂとで苗タンク２の連結状態を苗繰出装置１１の上部側と下部側との２箇所で固定すると共に、この上部レバー１０Ａと下部レバー１０Ｂとを苗タンク２の裏面９に沿った伏姿勢に操作することにより、苗タンク２の連結状態が固定される構成とすることにより、苗タンク２の連結状態で苗タンク２が左右へ往復移動するときは、上部レバー１０Ａと下部レバー１０Ｂが苗タンク２の裏面９に沿う状態にあるため、他の部材に接触しないように円滑に移動させることができる。また、上部レバー１０Ａと下部レバー１０Ｂとで苗タンク２の連結状態を苗繰出装置１１の上部側と下部側との２箇所で固定することにより、苗タンク２の位置が安定し、適正に苗タンク２上の苗を供給できる。
【００１３】
請求項５に記載の発明は、サイドタンク５を折畳姿勢から張出姿勢に切替えるときは、これら各タンク５，６間の苗繰出装置１１の駆動軸１２，１３に嵌合されたドッグクラッチ爪１４，１５が咬み合うため、このドッグクラッチ爪１４，１５の咬合連動を、サイドタンク５の張出姿勢へ切替によって円滑に、正確に行わせることができる。
【００１４】
【発明の実施の形態】
この発明の実施例を図面に基づいて説明する。苗タンク２と植付装置３とフロート１６，１７等を有する苗植装置１８を後部に装着するトラクタ車体１９は、運転席２０、ステアリングハンドル２１を支持するステアリングポスト２２、操向可能の前車輪２３、及び二輪形態の後車輪２４を有して四輪走行形態に構成される。運転席２０の下側に搭載のエンジン２５によって駆動して走行でき、ＰＴＯ軸２６を介して苗植装置１８を伝動できる。２７は運転席２０の左右両側に沿って設けられるサイドステップ、２８はステアリングポスト２２の左右両側に配置の補助苗載台である。苗植装置１８は、油圧力によるリフトシリンダ２９によって昇降される平行状のリフトリンク３０に連結されて昇降される。又、この苗植装置１８はリフトリンク３０後端の連結リンク３１に対してローリング軸３２を介して左右回動自在（ローリング自在）に連結される。
【００１５】
前記苗植装置１８は、苗植フレーム４にＰＴＯ軸２６から連動される伝動機構を有し、この中央部の前端をローリング軸３２の回りに回動自在にすると共に、ローリングシリンダの伸縮によってローリング制御させることができ、苗植装置１８を左右水平状の姿勢に維持することができる。この苗植フレーム４の後部には植付フレーム７，８を所定の間隔に突出させて配置している。この植付フレーム７，８には、左右両側に沿って苗植作用する植付装置３を配置する二条植付フレーム７と、左右いずれか片側にのみ苗植作用する植付装置３を配置する一条植付フレーム８とがあり、複条植形態で、偶数条植形態では、二条植付フレーム７のみの配置とすることができるが、この実施例のように奇数条植形態では、中央部に一条植付フレーム８を設置して、この両側に二条植付フレーム７を配置する七条植形態の構成としている。
【００１６】
このようにして配置される各植付フレーム７，８に設けられる各植付装置３の配置間隔は、一定の苗植条Ｌ間の間隔に設定されている。各植付装置３は横方向の植付軸３３の回りに回転する植付回転ケース３４の両端に、苗植爪３５を有した植付ケース３６を軸装し、植付回転ケース３４の回転によって植付ケース３６の苗植爪３５が苗植付を行うロータリ植付形態とする。この苗植爪３５は楕円形状の植付軌跡線Ａを描いて、各フロート１６，１７で均平された土壌面に苗植付を行うことができる。
【００１７】
苗植フレーム４の上側には、植付条数分の苗タンク２が一タンク幅分だけ左右に往復移動可能に設けられる。この苗タンク２は、マット上に育苗された苗を収容して後下部へ繰り出すことができ、この苗タンク２の後下端に沿って横方向の苗案内体１が定位置に設けられて、繰出苗の下端縁部を摺動させることができ、前記各植付装置３の苗植爪３５が作用しうる苗取出口３７を形成する。
【００１８】
この苗タンク２は、メインタンク６と一側端部のサイドタンク５とからなり、このサイドタンク５は、内側のメインタンク６の側端縁部３９の折畳軸３８の回りに上方へ回動させて、張出姿勢Ｂから折畳姿勢Ｃへ切替ることができる。このようなサイドタンク５は、前記一条植付フレーム７の位置する側とは反対の側に構成される。即ち、苗植フレーム４の重心位置は、植付装置３による苗植条数幅の中央部（この中央部に対してローリング軸３２が位置される。）に対して、一条植付フレーム８の位置される側に偏位するため、この植付フレーム４の重心偏位側と反対側の苗タンク２端部をサイドタンク５として折畳可能の構成とする。苗タンク２は、このサイドタンク５を折畳むときは、折畳んだ状態での苗タンク２の全幅が車体１９後側の中央部に位置されるため、サイドタンク５を内側へ折畳んでも苗タンク２全体としては、苗タンク２の重心位置はこのサイドタンク５側に偏位される。この偏位重量を前記苗植フレーム４の偏位重量と平衡させるものである。
【００１９】
サイドタンク５を折畳むときは、苗案内体１は、左右両側部に各々一苗タンク幅相当の長さ突出させることとなるため、この苗案内体１の左右両端のサイドガイド４０を中央部のメインガイド４１に対して内側へ折畳むことができる形態としている。
【００２０】
前記メインタンク６に対するサイドタンク５の張出姿勢Ｂと折畳姿勢Ｃとの切替は、これら苗タンク２の裏面９に設けられるロックレバー１０の係合と解除との操作を要する。メインタンク６のサイドタンク５側縁部において、苗繰出装置１１の上部側と下部側との二箇所に、ロックレバー１０としての上部レバー１０Ａと下部レバー１０Ｂを設け、この上部レバー１０Ａ、下部レバー１０Ｂでメインタンク６とサイドタンク５との間を引き付けるようにして固定し、又この固定を解除できる。
【００２１】
これら上部レバー１０Ａ、下部レバー１０Ｂはエルボ形態に形成されて、基部をメインタンク６の裏面に固定のブラケット４２，４３に対して回動自在に支持させ、先端のレバー部をサイドタンク５の裏面９に固定のブラケット４４，４５の切欠形態の係合部４６，４７に係合させることができる。これらの上部レバー１０Ａ，下部レバー１０Ｂは、メインタンク６の裏面９に倒して沿う形態にした状態で、係合部４６，４７に係合する状態とし、裏面９に対して起立させた状態で係合部４６，４７から外して、サイドタンク５を折畳軸３８の回りに起伏回動することができる。尚、前記上部レバ−１０Ａ及び下部レバー１０Ｂは、メインタンクに沿う状態で係合部４６，４７に係合するので、該レバ−１０Ａ，１０Ｂの前方の空間を大きくすることができ、通常植付作業時に苗タンク２に伴って該レバ−１０Ａ，１０Ｂが左右移動しても、取付位置精度の悪化により苗タンク２の前方の構成部材と干渉するのを抑えることができる。更に、前記上部レバ−１０Ａ及び下部レバー１０Ｂが係合部４６，４７に係合した状態で該レバ−１０Ａ，１０Ｂの少なくとも一部が側面視で苗タンク２の各条を仕切るフェンス内に入るように構成したので、該レバ−１０Ａ，１０Ｂの前方の空間を大きくすることができ、該レバ−１０Ａ，１０Ｂと苗タンク２の前方の構成部材との干渉を抑えることができる。
【００２２】
この下部レバー１０Ｂは、苗繰出装置１１下端部の苗タンク２裏面９広さが狭いため、ブラケット４５を苗繰出装置１１の裏側位置に突出させて、下部レバー１０Ｂと一体に回動されるプレート部４８をブラケット４５の側端面に係合させて苗案内体１の近くで固定できる。従って、苗案内体１の近くの苗タンク２の位置が安定し、適正に苗タンク２上の苗を苗案内体１へ供給できる。
【００２３】
前記苗繰出装置１１は、各苗タンク２の底部下端部で左右両側部に一対のベルト形態として設けられて、下端部を駆動軸１２，１３のプーリ４９，５０に掛け渡し、上端部を従動軸５１のプーリ５２に掛け渡している。このうち下部の駆動軸１２，１３は、サイドタンク５の折畳回動によってドッグクラッチ爪１４，１５の咬合が外れ、サイドタンク５の張出回動時は咬合が行われて、一体回動することができる。
【００２４】
これら一対のドッグクラッチ爪１４，１５の咬合部においては、駆動軸１２の先端部５３が、この側のドッグクラッチ爪１４の中心部を対向のドッグクラッチ爪１５側へ突出されて、このドッグクラッチ爪１５の中心部にできるだけ接近させるように形成される。サイドタンク５を折畳軸３８回りに回動させて折畳姿勢Ｃから張出姿勢Ｂへ切替えるとき、このサイドタンク５の駆動軸１３のドッグクラッチ爪１５が、メインタンク６側のドッグクラッチ爪１４に接近するとき、この駆動軸１２の先端部５３に嵌合するため、ドッグクラッチ１４と１５との間の咬合を円滑に正確に行わせることができる。
【図面の簡単な説明】
【図１】
苗植機の平面図。
【図２】
その側面図。
【図３】
その苗タンク部の作動状態を示す苗植機の平面図。
【図４】
植付装置部の配置平面図。
【図５】
ロックレバー部の作動を示す側面図。
【図６】
そのロックレバー部の背面図と、平面図。
【図７】
その苗繰出装置部の断面図。
【図８】
その一部の斜視図。
【符号の説明】
１    苗案内体
２    苗タンク
３    植付装置
４    苗植フレーム
５    サイドタンク
６    メインタンク
７    二条植付フレーム
８    一条植付フレーム
９    裏面
１０Ａ  上部レバー
１０Ｂ  下部レバー
１１    苗繰出装置
１２    駆動軸
１３    駆動軸
１４    ドッグクラッチ爪
１５    ドッグクラッチ爪